(57)【要約】【課題】安全性の向上を図った開き扉用防犯装置を提供する【解決手段】開き扉１０１の内面側に設けられた開閉操作用のハンドル１０４を開き扉１０１に対して閉方向に所定以上の力で操作すると、緊急ロック手段１０が係止爪８をバネ９の付勢力に抗してリール３の端壁３ｂの外周部に接した状態にする。これにより、リール３がワイヤ４の巻き出し方向に回転するのが阻止されて開き扉１０１の開方向への開動が阻止されるため、開き扉１０１の外側の人が内側に侵入するのを阻止することができる。【選択図】　　　図２
2004003167.tif 000002
【特許請求の範囲】
【請求項１】
開き扉（１０１）に固定されるフレーム（２）と、
フレーム（２）に回転自在に軸支されたリール（３）と、
一端がリール（３）に固定されると共に他端が扉枠（１０２）に固定され、リール（３）に巻き出し自在に巻き回されたワイヤ（４）と、
リール（３）がワイヤ（４）の巻き出し方向に回転することによりリール（３）をワイヤ（４）の巻き出し方向と逆方向に回転させる回転力を発生させるリール回転駆動手段（３３）と、
リール（３）の一方の端壁（３ｂ）の周縁部に形成された突起（３ｃ）と、
端壁（３ｂ）の外周部に対して接離するようにフレーム（２）に取り付けられ、端壁（３ｂ）の外周部に接した状態において突起（３ｃ）と協働してリール（３）がワイヤ（４）の巻き出し方向へ回転するのを阻止すると共に逆方向へ回転するのを許容する係止爪（８）と、
開き扉（１０１）の内面側に設けられた開閉操作用のハンドル（１０４）を開き扉（１０１）に対して閉方向に所定以上の力で操作した際に係止爪（８）を端壁（３ｂ）の外周部に接した状態にする緊急ロック手段（１０）と、
を具備することを特徴とする開き扉用防犯装置。
【請求項２】
開き扉（１０１）の扉枠（１０２）に対する開き角度を所定角度以下に規制して開き扉（１０１）の外側の人が内側に侵入するのを阻止する用心状態に切り換えるための切換手段（２３）が設けられ、この切換手段（２３）は、
リール（３）に形成された係止部（３ｅ）に接離するようにフレーム（２）に取り付けられ、リール（３）に接した状態において係止部（３ｅ）と協働してリール（３）がワイヤ（４）の巻き出し方向へ回転するのを阻止すると共に逆方向へ回転するのを許容する係止爪（２４）と、
開き扉（１０１）の内面側から操作可能で、係止爪（２４）がリール（３）から離れた状態とリール（３）に接した状態とを選択的に切り換えるための操作部材（２６）と、
を具備することを特徴とする請求項１記載の開き扉用防犯装置。
【請求項３】
ドアクローザを兼ねることを特徴とする請求項１又は請求項２記載の開き扉用防犯装置。
【発明の詳細な説明】
【０００１】
【発明の属する技術分野】
本発明は、開き扉の開放を途中で規制して開き扉の内側に人が侵入するのを阻止する開き扉用防犯装置に関するものである。
【０００２】
【従来の技術】
この種の防犯装置の代表的な先行技術例としては、例えば、実公平７−４３４０５号公報に示すものや、特開２００１−３３９７２９号公報に示すものが知られている。
【０００３】
前者のものは、扉枠に設けられた掛け金と、開き扉に支軸を介して揺動自在に取り付けられ、掛け金に係脱自在のロックアームとを備えており、開き扉を閉めた状態でロックアームを掛け金に係合させておくと、開き扉の扉枠に対する開き角度を所定角度以下に規制して開き扉の外側の人が内側に侵入するのを阻止する用心状態となる。開き扉の内側の人が、この状態で安全を確認した後、一旦開き扉を閉じてロックアームを掛け金から外すと、用心状態が解除されて開き扉が全開状態まで開放可能となる。
【０００４】
また、後者のものは、一端が扉枠に固定され、他端に掛け金を備えるチェーンと、開き扉に取り付けられ、チェーンの掛け金と係脱自在に係合する掛止部とを備えており、開き扉を閉めた状態でチェーンの掛け金を掛止部に係合させておくと、開き扉の扉枠に対する開き角度を所定角度以下に規制して開き扉の外側の人が内側に侵入するのを阻止する用心状態となる。この場合も、前者のものと同様に、開き扉の内側の人が一旦開き扉を閉じてチェーンの掛け金を掛止部から外すと、用心状態が解除されて開き扉が全開状態まで開放可能となる。
【０００５】
【発明が解決しようとする課題】
上記先行技術例では、ロックアームやチェーンを掛け金や掛止部に掛け忘れた場合には、一旦開き扉を開放すると外側の人の侵入を阻止できなかった。
【０００６】
また、用心状態を解除する場合に一旦開き扉を閉めなくてはならないため手間がかかっていた。
【０００７】
本発明は上記問題点に鑑みてなされたものであり、その目的は、安全性の向上を図った開き扉用防犯装置を提供することにある。
【０００８】
また、本発明の他の目的は、用心状態の解除が容易な開き扉用防犯装置を提供することにある。
【０００９】
【課題を解決するための手段】
上記目的を達成するために、請求項１記載の発明は、図面に示すように、
開き扉１０１に固定されるフレーム２と、
フレーム２に回転自在に軸支されたリール３と、
一端がリール３に固定されると共に他端が扉枠１０２に固定され、リール３に巻き出し自在に巻き回されたワイヤ４と、
リール３がワイヤ４の巻き出し方向に回転することによりリール３をワイヤ４の巻き出し方向と逆方向に回転させる回転力を発生させるリール回転駆動手段３３と、
リール３の一方の端壁３ｂの周縁部に形成された突起３ｃと、
端壁３ｂの外周部に対して接離するようにフレーム２に取り付けられ、端壁３ｂの外周部に接した状態において突起３ｃと協働してリール３がワイヤ４の巻き出し方向へ回転するのを阻止すると共に逆方向へ回転するのを許容する係止爪８と、
開き扉１０１の内面側に設けられた開閉操作用のハンドル１０４を開き扉１０１に対して閉方向に所定以上の力で操作した際に係止爪８を端壁３ｂの外周部に接した状態にする緊急ロック手段１０と、
を具備することを特徴とする開き扉用防犯装置である。
【００１０】
このような構成によれば、開き扉１０１の内側にいる人が開き扉１０１を若干開いて外側の人を確認した後、ハンドル１０４を操作して開き扉１０１を閉めようとするときに外側の人が開き扉１０１の外面側に設けられたハンドル１０３を操作して開き扉１０１を無理矢理開こうとすると、緊急ロック手段１０の作用により係止爪８が端壁３ｂの外周部に接した状態となる。この状態において、開き扉１０１をさらに開こうとしても、係止爪８によりリール３がワイヤ４の巻き出し方向に回転するのが阻止されため、開き扉１０１は開方向に動かない。よって、開き扉１０１の内側に人が侵入するのを阻止することができる。
【００１１】
また、請求項２記載の発明は、請求項１記載の開き扉用防犯装置において、
開き扉１０１の扉枠１０２に対する開き角度を所定角度以下に規制して開き扉１０１の外側の人が内側に侵入するのを阻止する用心状態に切り換えるための切換手段２３が設けられ、この切換手段２３は、
リール３に形成された係止部３ｅに接離するようにフレーム２に取り付けられ、リール３に接した状態において係止部３ｅと協働してリール３がワイヤ４の巻き出し方向へ回転するのを阻止すると共に逆方向へ回転するのを許容する係止爪２４と、
開き扉１０１の内面側から操作可能で、係止爪２４がリール３から離れた状態とリール３に接した状態とを選択的に切り換えるための操作部材２６と、
を具備することを特徴としている。
【００１２】
この場合、操作部材２６により係止爪２４がリール３に接した状態にすると、開き扉１０１を扉枠１０２に対して所定角度開いたときに係止爪２４によりリール３がワイヤ４の巻き出し方向に回転するのが阻止されるため、開き扉１０１がそれ以上開くことがなく、開き扉１０１の外側の人の侵入を阻止することができる。なお、この用心状態を解除するには、操作部材２６により係止爪２４がリール３から離れた状態にする。これにより、リール３がワイヤ４の巻き出し方向に回転可能となり、開き扉１０１が全開状態まで開放可能となる。なお、用心状態の解除は開き扉１０１を閉じることなく行うことができる。
【００１３】
また、請求項３記載の発明は、請求項１又は請求項２記載の開き扉用防犯装置がドアクローザを兼ねることを特徴としている。
【００１４】
この場合、利便性が向上すると共に、既存のドアクローザの部品を利用して構成することにより安価に製造することが可能となる。
【００１５】
【発明の実施の形態】
以下、本発明の一実施形態を図面と共に詳述する。図１は本発明の一実施形態である開き扉用防犯装置１が設けられた開き扉１０１及び扉枠１０２の斜視図、図２は開き扉用防犯装置１の一部透視斜視図、図３は開き扉用防犯装置１の内面側の概略構成図、図４は図３のＡ−Ａ線断面図、図５は開き扉用防犯装置１の上部の外面側の概略構成図、図６〜図８は開き扉用防犯装置１の動作説明図である。
【００１６】
図１に示すように、本実施形態の開き扉用防犯装置１は、一方の側がヒンジ（図示せず）を介して扉枠１０２に回動自在に取り付けられた開き扉１０１の開放を途中で規制して開き扉１０１の内側に人が侵入するのを阻止するためのものであり、既存のワイヤ式ドアクローザを用いて構成されている。
【００１７】
このドアクローザは、図２、図３に示すように、開き扉１０１に固定されるフレーム２と、フレーム２に回転自在に軸支されたリール３と、一端がリール３の回転軸３ａに固定されると共にリール３に巻き出し自在に巻き回されたワイヤ４と、リール３がワイヤ４の巻き出し方向に回転することによりリール３をワイヤ４の巻き出し方向と逆方向に回転させる回転力を発生させるリール回転駆動手段としてのゼンマイユニット３３とを備えている。
【００１８】
フレーム２は、垂直に延びる矩形板状の側壁５と、この側壁５の内面に上下方向に間隔をおいて固定された上ケース６及び下ケース７とから成っている。図１に示すように、開き扉１０１には、自由端側の端面１０１ａから内方に向けてフレーム２を収納する収納凹部１０１ｂが形成されており、この収納凹部１０１ｂ内に上ケース６及び下ケース７を収納した状態で、側壁５に形成された複数個のネジ孔５ａ、５ａ・・・を介して側壁５を端面１０１ａにネジ止めすることによりフレーム２が開き扉１０１に固定される。
【００１９】
リール３から巻き出されたワイヤ４は、開き扉１０１の上端部に設けられたプーリ等のガイド部材（図示せず）によって、開き扉１０１内を垂直上方に向けて導かれた後、開き扉１０１の上端部で開き扉１０１の内側面に直交する方向に導かれており、その先端部は扉枠１０２の内側の適所に固定されている。開き扉１０１を閉位置から開方向に回動させると、ワイヤ４がさらにリール３から巻き出されると共にゼンマイユニット３３がリール３をワイヤ４の巻き出し方向と逆方向に回転させる回転力を蓄える。この状態で開き扉１０１を持っている手を離すと、ゼンマイユニット３３がリール３を回転させてワイヤ４を巻き戻すため、開き扉１０１が閉方向に回動して閉位置に復帰する。
【００２０】
本実施形態では、このドアクローザに以下のような構成を付加することにより防犯機能を持たせている。その構成は、図２、図３に示すように、リール３の一方の端壁３ｂの周縁部に全周にわたって形成された多数の鋸刃状の突起３ｃ，３ｃ・・・と、端壁３ｂの外周部に対して接離するように上ケース６に回動自在に軸支された係止爪８と、係止爪８と上ケース６の間に張装され、係止爪８を端壁３ｂの外周部から離れる方向に付勢する付勢手段としてのバネ９と、開き扉１０１の内面側に設けられた開閉操作用のハンドル１０４を開き扉１０１に対して閉方向に所定以上の力で操作した際に係止爪８をバネ９の付勢力に抗して端壁３ｂの外周部に接した状態にする緊急ロック手段１０とから成っている。
【００２１】
係止爪８は、水平支軸１１を介して上ケース６に回動自在に軸支された軸部８ａと、この軸部８ａの一端から径方向に突出した垂直壁８ｂと、この垂直壁８ｂの下端部から軸部８ａの軸方向に突出すると共に一端が軸部８ａの外周部に固定された底壁８ｃとを有している。
【００２２】
緊急ロック手段１０は、上ケース６の先端壁６ａにピン１２，１２を介して垂直方向に摺動自在に取り付けられた正面視Ｌ字形の昇降部材１３と、この昇降部材１３の上端部から上ケース６内部に向けて水平に突出し、先端部が上向きに湾曲すると共に係止爪８の底壁８ｃの上面に接した押さえ部材１４と、この押さえ部材１４と上ケース６の間に張装され、昇降部材１３を下向きに付勢するバネ１５と、下ケース７の内側壁７ｂの下部から水平に突出すると共にハンドル１０４を回転自在かつ軸方向に摺動自在に支持する支軸１６とから成っている。
【００２３】
昇降部材１３は板状の部材により形成されており、下端部に下ケース７の先端壁７ａ及び内側壁７ｂに沿うように形成された折曲部１３ａを有している。この折曲部１３ａの先端部の下端縁は、ハンドル１０４の軸部１０４ａの外周面により受け止め支持されている。また、折曲部１３ａの先端部には貫通孔１３ｂが形成されている。
【００２４】
バネ１５は、押さえ部材１４を介して係止爪８に図３の反時計まわり方向に回動させる力を付与しており、この力は、バネ９が係止爪８を図３の時計まわり方向に回動させる力よりも大きくなっている。
【００２５】
支軸１６は、基端部側の上部に昇降部材１３の折曲部１３ａを受け入れる凹部１６ａを有している。また、図４（ａ）に示すように、支軸１６とハンドル１０４の軸部１０４ａには、軸部１０４ａを支軸１６に係止するための係止手段１７が設けられている。この係止手段１７は、支軸１６の頂部から下方に向けて形成された孔１８と、この孔１８内に垂直方向に摺動自在に収容された球状の係止部材１９と、この係止部材１９を孔１８から抜け出る方向に付勢するバネ２０と、ハンドル１０４の軸部１０４ａに形成され、係止部材１９よりも若干小径の係止孔２１とから成っている。
【００２６】
バネ２０により係止部材１９が係止孔２１に押し付けられることにより軸部１０４ａが支軸１６に対して係止されている。ハンドル１０４を支軸１６の先端部に向かって所定以上の力で操作すると、係止部材１９がバネ２０の付勢力に抗して孔１８内に押し込まれ、係止孔２１が係止部材１９を乗り越えて軸部１０４ａが支軸１６に対して摺動する。なお、バネ２０の付勢力は、通常の開き扉１０１の閉動作においてハンドル１０４に与えられる力によって軸部１０４ａが支軸１６に対して摺動しないように設定されている。
【００２７】
２２は軸部１０４ａの外周部に取り付けられたカバーである。このカバー２２は有底円筒状のもので、軸部１０４ａに対して軸方向に摺動自在である。
【００２８】
なお、本実施形態の開き扉用防犯装置１では、開き扉１０１の扉枠１０２に対する開き角度を所定角度以下に規制して開き扉１０１の外側の人が内側に侵入するのを阻止する用心状態に切り換える切換手段２３（図５参照）が設けられている。
【００２９】
この切換手段２３は、リール３の他方の端壁３ｄの周縁部に形成された係止部３ｅと、端壁３ｄの外周部に対して接離するように上ケース６に回動自在に軸支された係止爪２４と、係止爪２４と上ケース６の間に張装され、係止爪２４を端壁３ｄの外周部から離れる方向に付勢する付勢手段としてのバネ２５と、開き扉１０１の内面側から操作可能で、係止爪２４が端壁３ｄの外周部から離れた状態と、係止爪２４がバネ２５の付勢力に抗して端壁３ｄの外周部に接した状態とを選択的に切り換える操作部材２６とを具備している。
【００３０】
係止爪２４は、水平支軸２７を介して上ケース６に回動自在に軸支された軸部２４ａと、この軸部２４ａの一端から径方向に突出した垂直壁２４ｂと、この垂直壁２４ｂの下端部から軸部２４ａの軸方向に突出すると共に一端が軸部２４ａの外周部に固定された底壁２４ｃとを有している。
【００３１】
図２に示すように、操作部材２６は、上ケース６の上端部両側壁に互いに対向するように形成された一対のスリット２８，２８により側壁５に接離する方向に摺動自在に支持された直軸部２９（図２参照）と、その一端に形成された抜け止め３０と、直軸部２９の他端から突出すると共に直軸部２９に対して直線状に配された伸延部３１と、その先端部に形成されたつまみ部３２と、直軸部２９の一方の側面に固定された板バネ３４とから成っている。
【００３２】
板バネ３４は先端部が湾曲していて、つまみ部３２を側壁５に接近する方向に操作することにより、板バネ３４の先端部が係止爪２４の底壁２４ｃに摺接して弾性変形し、係止爪２４にバネ２５の付勢力に抗して端壁３ｄの外周部に接近する方向に回動する力を与えるようになっている。
【００３３】
つまみ部３２を側壁５に最も近い位置にスライドさせることにより、図７に示すように、係止爪２４の底壁２４ｃの先端部がリール３の端壁３ｄの外周部に接した状態となる。この状態において、開き扉１０１を開方向に回動させると、リール３が図７の反時計回り方向に回転してワイヤ４が巻き出されるが、リール３が約一周回転すると、図８に示すように、係止部３ｅが係止爪２４の先端部に係合してリール３の回転及びワイヤ４の巻き出しが阻止されるため、開き扉１０１の開方向への回動が阻止される。なお、リール３は図８の時計回り方向に回転することはできるため、開き扉１０１を閉方向に回動させることはできる。
【００３４】
開き扉１０１が閉じた状態において、開き扉１０１の内面側からつまみ部３２を側壁５に最も近い位置にスライドさせておくことにより、開き扉１０１の扉枠１０２に対する開き角度を所定角度以下に規制する用心状態にすることができる。この用心状態を解除するには、つまみ部３２を側壁５から最も遠い位置にスライドさせる。これにより、係止爪２４が図８の反時計回り方向に回動し、図５に示すように、係止爪２４の先端部がリール３の端壁３ｄの外周部から離れた状態となるため、リール３が図５の反時計回り方向に回転可能となり、開き扉１０１を全開状態まで開くことができるようになる。なお、用心状態の解除は、開き扉１０１が開いたままの状態で行うことができ、いちいち開き扉１０１を閉じる必要が無いため、容易である。
【００３５】
次に、非用心状態における開き扉用防犯装置１の作用を説明する。開き扉１０１の内側にいる人が開き扉１０１を若干開いて外側の人を確認した後、ハンドル１０４を引っ張って開き扉１０１を閉めようとするときに外側の人がハンドル１０３を引っ張って開き扉１０１を無理矢理開こうとすると、ハンドル１０４には通常の閉操作時よりも大きな引っ張り力が作用することになる。
【００３６】
これにより、ハンドル１０４の軸部１０４ａに形成された係止孔２１に係合している係止部材１９がバネ２０の付勢力に抗して孔１８内に押し込まれて軸部１０４ａが支軸１６に対して先端部方向に摺動する。これにより、バネ１５により下方向に付勢されている昇降部材１３の折曲部１３ａの下端部が、図４（ｂ）に示すように、軸部１０４ａと下ケース７の内側壁７ｂとの間に生じた隙間に入り込む。また、押さえ部材１４が係止爪８を図３の反時計回り方向に回動させるため、図６に示すように、係止爪８の底壁８ｃの先端部がリール３の端壁３ｂの外周部に接した状態となる。
【００３７】
この状態において、開き扉１０１を開方向に回動させようとしても、係止爪８によりリール３の図６の時計回り方向の回転が阻止されるため、開き扉１０１がさらに開くことはない。よって、開き扉１０１の外側の人が内側に侵入するのを阻止することができる。なお、リール３は図６の反時計回り方向に回動することはできるため、開き扉１０１を閉じることはできる。このように、非用心状態であっても、開き扉１０１の開閉動作で自動的に外側の人が侵入するのを阻止する状態に切り替わるため、安全性が高い。
【００３８】
この状態を解除するには、カバー２２を折曲部１３ａから離れる方向に摺動させ、ドライバー等の先端部をカバー２２と折曲部１３ａの間の隙間から貫通孔１３ｂに挿入し、昇降部材１３を引き上げる。これにより、係止爪８がバネ９の付勢力により図６の時計回り方向に回動して係止爪８の先端部がリール３の端壁３ｂの外周部から離れる。昇降部材１３を引き上げた状態でハンドル１０４の軸部１０４ａを支軸１６の基端部の方向に押し込むと、係止孔２１に係止部材１９が係合して軸部１０４ａが支軸１６に係止された状態となる。これにより、折曲部１３ａの下端部が軸部１０４ａの外周部に支持されて係止爪８の先端部が端壁３ｂの外周部から離れた状態が維持される。したがって、開き扉１０１を全開状態まで開くことができる。そして、カバー２２を支軸１６の基端部の方向に押し込むと、図４（ａ）の状態になる。
【００３９】
本実施形態の開き扉用防犯装置１は、既存のドアクローザを用いて構成されているため、新たに作製する部品の数が少なく、金型費や部品コストが安価であるという利点が有る。
【００４０】
なお、上記実施形態では、本発明を外側に開く開き扉に適用した場合について説明したが、内側に開く開き扉に本発明を適用することもできる。
【００４１】
【発明の効果】
以上説明したように、請求項１記載の発明によれば、あらかじめ用心状態等を設定する必要が無く、開き扉の開閉操作によって自動的に外側の人が侵入するのを阻止することができる状態に切り替わるため、安全性が高い。
【００４２】
また、請求項２記載の発明によれば、開き扉が開いた状態で操作部材を操作することにより用心状態を解除することができ、いちいち開き扉を閉じる必要がないので、用心状態の解除が容易である。
【００４３】
また、請求項３記載の発明によれば、ドアクローザとしての機能も有するため、利便性が向上すると共に、既存のドアクローザの部品を利用して構成することにより安価に製造することができる。
【図面の簡単な説明】
【図１】本発明の一実施形態である開き扉用防犯装置１が設けられた開き扉１０１及び扉枠１０２の斜視図である。
【図２】開き扉用防犯装置１の一部透視斜視図である。
【図３】開き扉用防犯装置１の内面側の概略構成図である。
【図４】図３のＡ−Ａ線断面図である。
【図５】開き扉用防犯装置１の上部の外面側の概略構成図である。
【図６】開き扉用防犯装置１の動作説明図である。
【図７】開き扉用防犯装置１の動作説明図である。
【図８】開き扉用防犯装置１の動作説明図である。
【符号の説明】
１　　開き扉用防犯装置
２　　フレーム
３　　リール
３ｂ　端壁
３ｃ　突起
４　　ワイヤ
８　　係止爪
１０　　緊急ロック手段
３３　　ゼンマイユニット（リール回転駆動手段）
１０１　　開き扉
１０２　　扉枠
１０４　　ハンドル
【図１】
2004003167.tif 000003
【図２】
2004003167.tif 000004
【図３】
2004003167.tif 000005
【図４】
2004003167.tif 000006
【図５】
2004003167.tif 000007
【図６】
2004003167.tif 000008
【図７】
2004003167.tif 000009
【図８】
2004003167.tif 000010